(57)【要約】【課題】ある椅子に着座しようとする着座者の体格が互いに相違するとしても、椅子に対する各着座者の良好な座り心地がそれぞれ確保できるようにする。【解決手段】椅子１は、基部３に支持される着座部４と、基部３側に支持されて着座部４の後端側から上方に向けて突出する背もたれ部５とを備える。椅子１の側面視（図１）で、着座部４の後部側１３における上面の前方への仮想延長面２１近傍に、着座部４の前端部７の上面を位置させ、着座部４の後部側１３に対し、着座部４の前端部７を延長面２１に沿った方向に向けて前後移動Ｂ可能にする。【選択図】図１
2008012149.tif 000002
【特許請求の範囲】
【請求項１】
基部に支持される着座部と、上記基部側に支持されて上記着座部の後端側から上方に向けて突出する背もたれ部とを備えた椅子において、
上記椅子の側面視で、上記着座部の後部側における上面の前方への仮想延長面近傍に、上記着座部の前端部の上面を位置させ、上記着座部の後部側に対し、上記着座部の前端部を上記延長面に沿った方向に向けて前後移動可能にしたことを特徴とする椅子における着座部調整装置。
【請求項２】
上記着座部の前端部を、軸心が左右に延びる軸心回りに回転可能なローラとしたことを特徴とする請求項１に記載の椅子における着座部調整装置。
【請求項３】
上記着座部の後部側の上面と、背もたれ部の前面とのうちの少なくともいずれか一方の面に、着座者を温熱可能とするヒータを設けたことを特徴とする請求項１、もしくは２に記載の椅子における着座部調整装置。
【請求項４】
基部に支持される着座部と、上記基部側に支持されて上記着座部の後端側から上方に向けて突出する背もたれ部とを備えた椅子において、
上記椅子の側面視で、上記着座部における上面の前方への仮想延長面に沿った方向に向けて、上記背もたれ部に対し上記着座部を前後移動可能とし、
上記着座部の前後移動中において、上記着座部の後端部を、この後端部近傍の背もたれ部の部分の前面よりも後側に位置させたことを特徴とする椅子における着座部調整装置。
【請求項５】
上記着座部の上面と、背もたれ部の前面とのうちの少なくともいずれか一方の面に、着座者を加熱可能とするヒータを設けたことを特徴とする請求項４に記載の椅子における着座部調整装置。
【発明の詳細な説明】
【技術分野】
【０００１】
本発明は、前後方向における着座部の寸法を調整できるようにした椅子における着座部調整装置に関するものである。
【背景技術】
【０００２】
椅子には、従来、下記特許文献１に示されるものがある。この公報のものによれば、上記椅子は、基部に支持される着座部と、上記基部側に支持されて上記着座部の後端側から上方に向けて突出する背もたれ部と、上記着座部および背もたれ部の各表面に沿って延び、その内部に遠赤外線放射体が配設されたクッションとを備えている。
【０００３】
そして、上記椅子に対し着座者が自然体で長時間にわたり着座すれば、この着座者はリラックスした状態で、上記遠赤外線放射体によって徐々に温熱されるようになっており、これは健康上好ましいこととされている。
【特許文献１】特開２００１−１７２７４号公報
【発明の開示】
【発明が解決しようとする課題】
【０００４】
ところで、上記椅子に着座しようとする着座者の体格は区々としている。このため、ある体格の着座者にとっては、上記椅子の寸法が、過小もしくは過大になるおそれがある。
【０００５】
特に、前後方向における着座部の寸法が過小であるとすると、この着座部に着座したときの着座者の大腿部の膝側端部は、上記着座部の前方に位置して、この着座部には支持され難い。
【０００６】
一方、上記着座部の寸法が過大である場合に、この着座部に深く着座しようとすると、着座者のふくらはぎが上記着座部の前端部に強く当接して、この着座部への深い着座が阻害される。このため、背もたれ部への自然体での背もたれがし難くなる。
【０００７】
よって、上記したように着座部の寸法が着座者にとって、過小もしくは過大である場合には、椅子への座り心地が悪くなり、このため、この椅子に長時間にわたり着座するときには、リラックスできないという不都合を生じる。
【課題を解決するための手段】
【０００８】
本発明は、上記のような事情に注目してなされたもので、本発明の目的は、ある椅子に着座しようとする着座者の体格が互いに相違するとしても、上記椅子に対する各着座者の良好な座り心地がそれぞれ確保できるようにすることである。
【０００９】
請求項１の発明は、図１，２に例示するように、基部３に支持される着座部４と、上記基部３側に支持されて上記着座部４の後端側から上方に向けて突出する背もたれ部５とを備えた椅子において、
上記椅子１の側面視（図１）で、上記着座部４の後部側１３における上面の前方への仮想延長面２１近傍に、上記着座部４の前端部７の上面を位置させ、上記着座部４の後部側１３に対し、上記着座部４の前端部７を上記延長面２１に沿った方向に向けて前後移動Ｂ可能にしたものである。
【００１０】
請求項２の発明は、図１，２に例示するように、請求項１の発明に加えて、上記着座部４の前端部７を、軸心１９が左右に延びる軸心１９回りに回転可能なローラ２０としたものである。
【００１１】
請求項３の発明は、図１，２に例示するように、請求項１、もしくは２の発明に加えて、上記着座部４の後部側１３の上面と、背もたれ部５の前面とのうちの少なくともいずれか一方の面に、着座者を温熱可能とするヒータ２６，２７を設けたものである。
【００１２】
請求項４の発明は、図３に例示するように、基部３に支持される着座部４と、上記基部３側に支持されて上記着座部４の後端側から上方に向けて突出する背もたれ部５とを備えた椅子において、
上記椅子１の側面視（図３）で、上記着座部４における上面の前方への仮想延長面２１に沿った方向に向けて、上記背もたれ部５に対し上記着座部４を前後移動Ｂ可能とし、
上記着座部４の前後移動Ｂ中において、上記着座部４の後端部を、この後端部近傍の背もたれ部５の部分の前面よりも後側に位置させたものである。
【００１３】
請求項５の発明は、図３に例示するように、請求項４の発明に加えて、上記着座部４の上面と、背もたれ部５の前面とのうちの少なくともいずれか一方の面に、着座者を加熱可能とするヒータ２６，２７を設けたものである。
【００１４】
なお、この項において、上記各用語に付記した符号は、本発明の技術的範囲を後述の「実施例」の項や図面の内容に限定解釈するものではない。
【発明の効果】
【００１５】
本発明による効果は、次の如くである。
【００１６】
請求項１の発明は、基部に支持される着座部と、上記基部側に支持されて上記着座部の後端側から上方に向けて突出する背もたれ部とを備えた椅子において、
上記椅子の側面視で、上記着座部の後部側における上面の前方への仮想延長面近傍に、上記着座部の前端部の上面を位置させ、上記着座部の後部側に対し、上記着座部の前端部を上記延長面に沿った方向に向けて前後移動可能にしている。
【００１７】
このため、上記椅子に着座しようとする着座者の体格が大きくて、特に、前後方向における着座部の寸法が過小である場合には、上記着座部の前端部を前方移動させる。すると、上記着座部の寸法が大きくなるよう調整される。
【００１８】
よって、体格の大きい着座者が上記着座部に着座した場合、この着座者の臀部および大腿部の全体が上記着座部によってほぼ均等に支持され、つまり、自然体での着座が可能となり、椅子への良好な座り心地が確保される。
【００１９】
一方、着座者の体格が小さくて、着座部の寸法が過大である場合には、上記着座部の前端部を後方移動させる。すると、上記着座部の寸法が小さくなるよう調整される。
【００２０】
よって、体格の小さい着座者が上記着座部に深く着座した場合でも、この着座者のふくらはぎが上記着座部の前端部に強く当接することは防止されて、背もたれ部への自然体での背もたれが可能となり、椅子への良好な座り心地が確保される。
【００２１】
また、上記着座部の前端部を前後移動させる場合、上記着座者の臀部が載置された着座部の後部側は静止状態に保持されるため、上記着座部の寸法の調整作業は着座者に無用の負担を与えることなく円滑にできる。
【００２２】
請求項２の発明は、上記着座部の前端部を、軸心が左右に延びる軸心回りに回転可能なローラとしている。
【００２３】
このため、上記着座部に着座したままで、この着座部の前端部を前後移動させるとき、この前端部を構成する上記ローラは着座者の大腿部を前後に転動する。よって、上記前端部の前後移動時に、この前端部が上記着座者に無用な負担を与えることが防止される。
【００２４】
上記の結果、上記着座部に着座したままでの着座部の前端部の前後移動が支障なくできる。このため、着座者の好みの最適位置に上記前端部を位置させることが容易にでき、椅子への良好な座り心地がより確実に達成される。
【００２５】
請求項３の発明は、上記着座部の後部側の上面と、背もたれ部の前面とのうちの少なくともいずれか一方の面に、着座者を温熱可能とするヒータを設けている。
【００２６】
ここで、前記したように、上記椅子によれば、良好な座り心地が確保されるため、着座者は自然体で長時間にわたり着座できる。よって、この着座者はリラックスした状態で、上記ヒータによって徐々に温熱されることとなり、これは健康上好ましい。
【００２７】
請求項４の発明は、基部に支持される着座部と、上記基部側に支持されて上記着座部の後端側から上方に向けて突出する背もたれ部とを備えた椅子において、
上記椅子の側面視で、上記着座部における上面の前方への仮想延長面に沿った方向に向けて、上記背もたれ部に対し上記着座部を前後移動可能としている。
【００２８】
このため、前記請求項１の効果、即ち、体格が互いに相違する着座者でも、それぞれ椅子への良好な座り心地が確保される、という効果と同様の効果が生じる。
【００２９】
また、上記着座部の前後移動中において、上記着座部の後端部を、この後端部近傍の背もたれ部の部分の前面よりも後側に位置させている。
【００３０】
このため、上記着座部の前後移動中に、上記着座部に着座した着座者の臀部の一部が上記着座部の後端部と背もたれ部の下端部との間に挟まれる、ということは防止される。よって、上記着座部の寸法の調整作業は、着座者に無用な負担を与えることなく円滑にできる。
【００３１】
請求項５の発明は、上記着座部の上面と、背もたれ部の前面とのうちの少なくともいずれか一方の面に、着座者を加熱可能とするヒータを設けている。
【００３２】
このため、前記請求項３と同様の効果が生じる。
【発明を実施するための最良の形態】
【００３３】
本発明の椅子における着座部調整装置に関し、ある椅子に着座しようとする着座者の体格が互いに相違するとしても、上記椅子に対する各着座者の良好な座り心地がそれぞれ確保できるようにする、という目的を実現するため、本発明を実施するための最良の形態は、次の如くである。
【００３４】
即ち、椅子は、基部に支持される着座部と、上記基部側に支持されて上記着座部の後端側から上方に向けて突出する背もたれ部とを備えている。上記椅子の側面視で、上記着座部の後部側における上面の前方への仮想延長面近傍に、上記着座部の前端部の上面が位置し、上記着座部の後部側に対し、上記着座部の前端部が上記延長面に沿った方向に向けて前後移動可能とされている。
【実施例１】
【００３５】
本発明をより詳細に説明するために、その実施例１を添付の図１，２に従って説明する。
【００３６】
図１，２において、符号１は、着座者を温熱可能とさせる椅子である。なお、説明の便宜上、図中矢印Ｆｒを前方として以下説明する。
【００３７】
上記椅子１は、枠組みされて床２上に支持される基部３と、この基部３に支持され、着座者が前向きで着座可能とされる着座部４と、上記基部３側に支持されて上記着座部４の後端側から後上方に向けて突出し、上記着座部４に着座した着座者を背もたれ可能とさせる背もたれ部５と、上記着座部４の前端部７から下方に向かって突出するフレーム８と、このフレーム８の下部に支持され、上記着座部４に着座した着座者の足を載置可能とさせる足載せ部９と、上記背もたれ部５から前方に向けて突設される肘掛部１０とを備えている。
【００３８】
上記着座部４は、この着座部４に着座する着座者の臀部が載置される後部側１３と、大腿部が載置される前部側１４とに分断されている。上記後部側１３は、その前端部が上記基部３に枢支具１６により枢支され、この枢支具１６を中心として、後部が上下回動Ａ可能とされている。また、上記後部側１３の後部を上下回動Ａさせる第１アクチュエータ１７が設けられている。上記椅子１の正面視で、上記後部側１３は枠形状とされ、この後部側１３の内部に上記前部側１４の後部が前後移動Ｂ可能となるよう嵌入されている。また、この嵌入状態を保ったままで、上記前部側１４を前後移動Ｂさせる第２アクチュエータ１８が設けられている。
【００３９】
上記着座部４の前端部７は、上記前部側１４の前端部に相当し、この前部側１４の前端部７は、軸心１９が左右に延びるローラ２０とされている。このローラ２０は上記軸心１９回りに自由に回転可能とされている。上記椅子１の側面視（図１）で、上記着座部４の後部側１３における上面の前方への仮想延長面２１近傍に、上記着座部４（前部側１４）の前端部７の上面が位置させられている。この前端部７は、上記した前部側１４の前後移動Ｂにより、上記延長面２１に沿った方向に向けて前後移動Ｂ可能とされている。
【００４０】
前記背もたれ部５は、上記着座部４の後部側１３に固定され、この後部側１３を介し基部３に支持されている。つまり、上記背もたれ部５は基部３側に支持されている。
【００４１】
上記フレーム８は、上記足載せ部９と共に上記軸心１９を中心として前後回動Ｃ可能となるよう上記着座部４（前部側１４）の前端部７に枢支されている。また、上記フレーム８を足載せ部９と共に前後回動Ｃさせる第３アクチュエータ２３が設けられている。上記フレーム８に対し、上記足載せ部９は上下移動Ｄ可能となるよう支持されている。また、上記足載せ部９を上下移動Ｄさせる第４アクチュエータ２４が設けられている。
【００４２】
上記各アクチュエータ１７，１８，２３，２４は電動ねじジャッキ式であり、これらの駆動による各回動Ａ，Ｃや移動Ｂ，Ｄは任意所望位置で停止可能とされている。なお、上記アクチュエータは、空気圧や油圧式であってもよく、これに代えて、手動式でもよい。
【００４３】
上記着座部４の後部側１３の上面と、上記背もたれ部５の前面とに、それぞれ着座者を温熱可能とするヒータ２６，２７が設けられている。これらヒータ２６，２７は電力により温熱可能とされるものである。なお、図示しないが、これら各ヒータ２６，２７の表、裏面には、遠赤外線放射体であるセラミックスを含有させた不織布が面接触状に設けられている。
【００４４】
上記構成によれば、椅子１の側面視（図１）で、上記着座部４の後部側１３における上面の前方への仮想延長面２１近傍に、上記着座部４の前端部７の上面を位置させ、上記着座部４の後部側１３に対し、上記着座部４の前端部７を上記延長面２１に沿った方向に向けて前後移動Ｂ可能にしている。
【００４５】
このため、上記椅子１に着座しようとする着座者の体格が大きくて、特に、前後方向における着座部４の寸法が過小である場合（図１，２中実線）には、上記第２アクチュエータ１８により上記着座部４の前端部７を前方移動させる（図１，２中一点鎖線）。すると、上記着座部４の寸法が大きくなるよう調整される。
【００４６】
よって、体格の大きい着座者が上記着座部４に着座した場合、この着座者の臀部および大腿部の全体が上記着座部４によってほぼ均等に支持され、つまり、自然体での着座が可能となり、椅子１への良好な座り心地が確保される。
【００４７】
一方、着座者の体格が小さくて、着座部４の寸法が過大である場合（図１，２中一点鎖線）には、上記第２アクチュエータ１８により上記着座部４の前端部７を後方移動させる（図１，２中実線）。すると、上記着座部４の寸法が小さくなるよう調整される。
【００４８】
よって、体格の小さい着座者が上記着座部４に深く着座した場合でも、この着座者のふくらはぎが上記着座部４の前端部７に強く当接することは防止されて、背もたれ部５への自然体での背もたれが可能となり、椅子１への良好な座り心地が確保される。
【００４９】
また、上記着座部４の前端部７を前後移動Ｂさせる場合、上記着座者の臀部が載置された着座部４の後部側１３は静止状態に保持されるため、上記着座部４の寸法の調整作業は着座者に無用の負担を与えることなく円滑にできる。
【００５０】
また、前記したように、着座部４の前端部７を、軸心１９が左右に延びる軸心１９回りに回転可能なローラ２０としている。
【００５１】
このため、上記着座部４に着座したままで、この着座部４の前端部７を前後移動Ｂさせるとき、この前端部７を構成する上記ローラ２０は着座者の大腿部を前後に転動する。よって、上記前端部７の前後移動Ｂ時に、この前端部７が上記着座者に無用な負担を与えることが防止される。
【００５２】
上記の結果、上記着座部４に着座したままでの着座部４の前端部７の前後移動Ｂが支障なくできる。このため、着座者の好みの最適位置に上記前端部７を位置させることが容易にでき、椅子１への良好な座り心地がより確実に達成される。
【００５３】
また、前記したように、後部側１３の上面と、背もたれ部５の前面とのうちの少なくともいずれか一方の面に、着座者を温熱可能とするヒータ２６，２７を設けている。
【００５４】
ここで、前記したように、椅子１によれば、良好な座り心地が確保されるため、着座者は自然体で長時間にわたり着座できる。よって、この着座者はリラックスした状態で、上記ヒータ２６，２７によって徐々に温熱されることとなり、これは健康上好ましい。
【００５５】
なお、以上は図示の例によるが、椅子１は、車両など乗り物用のものであってもよい。また、背もたれ部５は基部３に直接支持させてもよい。また、上記ローラ２０を巻き取り機とし、後端部が上記着座部４の後部側１３の前端に連結され、前端部が上記ローラ２０に巻き取り可能とされるベルト体を設けてもよい。
【００５６】
以下の図３は、実施例２を示している。この実施例２は、前記実施例１と構成、作用効果において多くの点で共通している。そこで、これら共通するものについては、図面に共通の符号を付してその重複した説明を省略し、異なる点につき主に説明する。また、これら実施例における各部分の構成を、本発明の目的、作用効果に照らして種々組み合せてもよい。
【実施例２】
【００５７】
本発明をより詳細に説明するために、その実施例２を添付の図３に従って説明する。
【００５８】
図３において、上記椅子１の側面視（図３）で、上記着座部４における上面の前方への仮想延長面２１に沿った方向に向けて、上記背もたれ部５に対し上記着座部４が前後移動Ｂ可能とされている。また、上記着座部４の上面と、これに対面する背もたれ部５の下端部との間の隙間は小さくされている。
【００５９】
このため、前記効果、即ち、体格が互いに相違する着座者でも、それぞれ椅子１への良好な座り心地が確保される、という効果と同様の効果が生じる。
【００６０】
また、上記着座部４の前後移動Ｂ中において、上記着座部４の後端部は、この後端部近傍の背もたれ部５の部分の前面よりも後側に位置させられている。
【００６１】
このため、上記着座部４の前後移動Ｂ中に、上記着座部４に着座した着座者の臀部の一部が上記着座部４の後端部と背もたれ部５の下端部との間に挟まれる、ということは防止される。よって、上記着座部４の寸法の調整作業は、着座者に無用な負担を与えることなく円滑にできる。
【００６２】
また、上記着座部４の上面と背もたれ部５の前面とにそれぞれヒータ２６，２７が設けられている。
【図面の簡単な説明】
【００６３】
【図１】実施例１を示し、椅子の側面図である。
【図２】実施例１を示し、椅子の部分平面図である。
【図３】実施例２を示し、図１に相当する図である。
【符号の説明】
【００６４】
１    椅子
２    床
３    基部
４    着座部
５    背もたれ部
７    前端部
８    フレーム
９    足載せ部
１３  後部側
１４  前部側
１９  軸心
２０  ローラ
２１  延長面
２６  ヒータ
２７  ヒータ
Ａ    上下回動
Ｂ    前後移動
Ｃ    前後回動
Ｄ    上下移動
【図１】
2008012149.tif 000003
【図２】
2008012149.tif 000004
【図３】
2008012149.tif 000005